(57)【要約】【課題】  ペットを自動車に乗せて運搬するときに使用されるペット囲い装置であって、車室内がペットにより汚されず、しかもペットに窮屈感を与えない自動車用のペット囲い装置を提案する。【解決手段】  可撓性シートにより構成されていて、使用状態において、底部１３と、前部１４と、後部１５と、互いに対向した一対の側部１６，１７とによって上部が開口した袋状に形成されるマット１２を有し、該マット１２の前部１４の上部には、自動車の車室内に配置された前部座席２のヘッドレスト６に着脱可能に嵌合する前部孔１９が形成され、マット１２の後部１５の上部には、自動車の車室内に配置された後部座席３のヘッドレスト７に着脱可能に嵌合する後部孔２０が形成されている。【選択図】  図１
2007006777.tif 000002
【特許請求の範囲】
【請求項１】
可撓性シートにより構成されていて、使用状態において、底部と、前部と、後部と、互いに対向した一対の側部とによって上部が開口した袋状に形成されるマットを有し、該マットの前記前部の上部には、自動車の車室内に配置された前部座席のヘッドレストに着脱可能に嵌合する前部孔が形成され、前記マットの後部の上部には、自動車の車室内に配置された後部座席のヘッドレストに着脱可能に嵌合する後部孔が形成されていることを特徴とする自動車用のペット囲い装置。
【請求項２】
前記マットの前部孔と後部孔をそれぞれヘッドレストから外し、該マットにペットを収容したとき、前記前部孔と後部孔がマットを運搬する際の把手としての用をなす請求項１に記載の自動車用のペット囲い装置。
【請求項３】
前記マットにペットを収容したとき、そのペットを外部から目視できるように、該マットの少なくとも一部が透明シートにより構成されている請求項２に記載の自動車用のペット囲い装置。
【請求項４】
前記マットの前部孔と後部孔をそれぞれヘッドレストから外し、該マットを折り畳んだ後、その折り畳んだマットを収容するケースを有し、該ケースは、その内部にペットを収容できる大きさに形成されている請求項１に記載の自動車用のペット囲い装置。
【請求項５】
前記ケースにペットを収容したとき、そのペットを外部から目視できるように、該ケースの少なくとも一部が透明材料により構成されている請求項４に記載の自動車用のペット囲い装置。
【発明の詳細な説明】
【技術分野】
【０００１】
本発明は、犬や猫などのペットを自動車に乗せて運ぶ際に使用される自動車用のペット囲い装置に関するものである。
【背景技術】
【０００２】
従来、ペットを自動車に乗せて運搬する際に用いられるペット囲い装置として、ペットを収容するペット用ケースが一般に用いられている（例えば、特許文献１参照）。ところが、このようなペット用ケースにペットを収容すると、ペットに窮屈感を与えるおそれがある。そこで、自動車の車室内の後部座席上に配置されるマットより成るペット囲い装置が提案されている。このペット囲い装置によれば、ペットは後部座席上に配置されたマット上を動き回ることができるので、ペットに窮屈感を与えることはない。ところが、従来のこの種のペット囲い装置は、マットが後部座席上に配置されるだけのものであるため、リヤドア面に汚れが付着するおそれがある。しかも、マットを取り外すとき、そのマット上の汚れが下に落ちるおそれも免れない。
【０００３】
【特許文献１】実開平４−３８２５５号公報
【発明の開示】
【発明が解決しようとする課題】
【０００４】
本発明の目的は、上記従来の欠点を除去した自動車用のペット囲い装置を提供することにある。
【課題を解決するための手段】
【０００５】
本発明は、上記目的を達成するため、可撓性シートにより構成されていて、使用状態において、底部と、前部と、後部と、互いに対向した一対の側部とによって上部が開口した袋状に形成されるマットを有し、該マットの前記前部の上部には、自動車の車室内に配置された前部座席のヘッドレストに着脱可能に嵌合する前部孔が形成され、前記マットの後部の上部には、自動車の車室内に配置された後部座席のヘッドレストに着脱可能に嵌合する後部孔が形成されていることを特徴とする自動車用のペット囲い装置を提案する（請求項１）。
【０００６】
また、上記請求項１に記載の自動車用のペット囲い装置において、前記マットの前部孔と後部孔をそれぞれヘッドレストから外し、該マットにペットを収容したとき、前記前部孔と後部孔がマットを運搬する際の把手としての用をなすように構成されていると有利である（請求項２）。
【０００７】
さらに、上記請求項２に記載の自動車用のペット囲い装置において、前記マットにペットを収容したとき、そのペットを外部から目視できるように、該マットの少なくとも一部が透明シートにより構成されていると有利である（請求項３）。
【０００８】
また、上記請求項１に記載の自動車用のペット囲い装置において、前記マットの前部孔と後部孔をそれぞれヘッドレストから外し、該マットを折り畳んだ後、その折り畳んだマットを収容するケースを有し、該ケースは、その内部にペットを収容できる大きさに形成されていると有利である（請求項４）。
【０００９】
さらに、上記請求項４に記載の自動車用のペット囲い装置において、前記ケースにペットを収容したとき、そのペットを外部から目視できるように、該ケースの少なくとも一部が透明材料により構成されていると有利である。
【発明の効果】
【００１０】
本発明によれば、マットが、その使用時に、底部と、前部と、後部と、互いに対向した一対の側部とによって、上部が開口した袋状に形成され、その袋状のマット内にペットを入れておくことができるので、ペットに窮屈感を与えることはなく、しかも車内を汚すこともない。また、マットを取り外すときも、マット上の汚れが下に落ちることを防止することができる。
【発明を実施するための最良の形態】
【００１１】
以下、本発明の実施形態例を図面に従って詳細に説明する。
【００１２】
図１は本発明に係る自動車用のペット囲い装置１の一例を示す斜視図である。図１は、ペット囲い装置１が自動車の車室内に配置された使用状態にあるときの様子を示している。車室内には、前部座席２と、その後方に位置する後部座席３が配置され、各座席２，３のシートバック４，５の上部には２つずつのヘッドレスト６，７がそれぞれ装着されている。各ヘッドレスト６，７は、ヘッドレスト本体８，９と、その本体に一体に固定されたステー１０，１１を有し、各ステー１０，１１がシートバック４，５の上部に着脱可能に差し込まれている。なお、本明細書において使用する「前」又は「後」なる文言は、自動車の前進方向Ｆｒを基準とした前後を意味する。また、この前後方向に直交する方向が車幅方向Ｗである。
【００１３】
図示したペット囲い装置１は、布、樹脂シート、又はその合成材料などの可撓性シートにより構成されたマット１２を有し、このマット１２は、図１に示した使用状態において、底部１３と、前部１４と、後部１５と、車幅方向Ｗにおいて互いに対向した一対の側部１６，１７とによって上部が開口した袋状に形成されている。底部１３は、後部座席３のシートクッション１８上に位置している。また、マット１２の前部１４の上部には、自動車の車室内に配置された前部座席２の一方のヘッドレスト６に着脱可能に嵌合する前部孔１９が形成され、マット１２の後部１５の上部には、自動車の車室内に配置された後部座席３の一方のヘッドレスト７に着脱可能に嵌合する後部孔２０が形成されている。本例のマット１２の前部孔１９と後部孔２０は、ヘッドレスト６，７のステー１０，１１にそれぞれ嵌合するように構成されているが、その各孔１９，２０がヘッドレスト本体８，９にそれぞれ嵌合するように構成することもできる。
【００１４】
上述のように、マット１２は、その使用状態で、上部が開口した袋状に構成され、しかも前部孔１９と後部孔２０がヘッドレスト６，７にそれぞれ嵌合しているので、マット１２は常に袋状の形態を維持する。かかるマット１２の底部１３と前部１４と後部１５と両側部１６，１７とによって区画された収容空間Ｓ内に、犬や猫などのペット（図示せず）を入れておくことにより、車室内がペットによって汚されるおそれはなく、しかも、ペットに窮屈感を与えることもない。
【００１５】
ペット囲い装置１を使い終わったときは、ヘッドレスト６，７のステー１０，１１をシートバック４，５から抜き出すことにより、マット１２を簡単に取り外すことができる。逆の操作によって、再び、簡単にマット１２を車室内にセットすることができる。
【００１６】
マット１２の前部孔１９と後部孔２０をそれぞれヘッドレスト６，７から外した後、図２に示すように、そのマット１２にペットＰを収容して運搬することもできる。その際、前部孔１９と後部孔２０を合致させ、ここに手を掛けてマット１２を運搬することができる。このように、マット１２の前部孔１９と後部孔２０をそれぞれヘッドレスト６，７から外し、そのマット１２にペットＰを収容したとき、前部孔１９と後部孔２０が、マット１２を運搬する際の把手としての用をなすようにマット１２を構成することによって、当該マット１２を容易に持ち運びすることができる。
【００１７】
また、図２に示すように、マット１２にペットＰを収容したとき、そのペットを外部から目視できるように、マット１２の少なくとも一部を透明シートにより構成することが好ましい。このようにすれば、マット１２内のペットの様子を外から容易に観察することができる。
【００１８】
図３に示すペット囲い装置１のマット１２も、可撓性シートにより構成されていて、使用状態において、底部１３と、前部１４と、後部１５と、車幅方向Ｗにおいて互いに対向した一対の側部１６，１７とによって上部が開口した袋状に形成されている。図１に示したマットと異なるところは、マット１２の前部１４の上部と後部１５の上部に２つずつの前部孔１９と後部孔２０がそれぞれ形成され、その２つの前部孔１９が自動車の車室内に配置された前部座席２の２つのヘッドレスト６にそれぞれ着脱可能に嵌合し、２つの後部孔２０が、自動車の車室内に配置された後部座席３の２つのヘッドレスト７にそれぞれ着脱可能に嵌合している点である。図３に示したマット１２は図１に示したマットよりもサイズが大きく構成されているので、底部１３と前部１４と後部１５と両側部１６，１７とにより区画された収容空間Ｓに大型のペットを入れて運ぶことができる。
【００１９】
また、図３に示したマット１２は、次に説明するように、その前部孔１９と後部孔２０をそれぞれヘッドレスト６，７から外した後、当該マット１２を折り畳むことができるように構成されている。
【００２０】
先ず、マット１２の各側部１６，１７が第１及び第２の２つの部分１６ａ，１６ｂ；１７ａ，１７ｂから構成されていると共に、マット１２の使用状態においては、その第１及び第２の部分１６ａ，１６ｂ；１７ａ，１７ｂがファスナー２１，２２によって一体に連結されている。
【００２１】
マット１２を折り畳むには、前部孔１９と後部孔２０をヘッドレスト６，７から外した後、各ファスナー２１，２２のスライダ２３，２４をそれぞれ矢印方向にスライドさせることによって、各側部１６，１７の第１及び第２の部分１６ａ，１６ｂ；１７ａ，１７ｂを図４に示すように分離する。次いで各第１の部分１６ａ，１７ａを図４に矢印Ａで示すように前部１４の側に折り曲げて、これらの第１の部分１６ａ，１７ａを図５に示すように前部１４の上に重ねて折り畳む。さらに、後部１５を図４に矢印Ｂで示すように底部１３の側に折り曲げて、その後部１５と各側部１６，１７の第２の部分１６ｂ，１７ｂを図５に示すように折り畳む。
【００２２】
引き続き、折り畳んだ第２の部分１６ｂ，１７ｂを図５に矢印Ｃで示すように後部１５の側に折り曲げて、その第２の部分１６ｂ，１７ｂを、図６に示すように後部１５の上に重ねて折り畳む。次いで、前部１４と底部１３と後部１５を、図６に破線で示した折り曲げ線のところで、矢印Ｄで示すように折り曲げ、図７に示すように２つの前部孔１９を合致させる。さらに、底部１３と後部１５を、図７に示した折り曲げ線Ｅのところで、矢印Ｆで示すように、前部１４の側に折り曲げる。これにより、マット１２を図８に示すように小さく折り畳むことができる。
【００２３】
また、図３乃至図８に示したペット囲い装置１は、前述のように、マット１２の前部孔１９と後部孔２０をそれぞれヘッドレスト６，７から外し、そのマット１２を上述のように折り畳んだ後、その折り畳んだマット１２を収容するケース３０を有している。図示したケース３０は、第１のケース部材２５と第２のケース部材２６とから成り、これらのケース部材２５，２６の基端部２７は、図示していないヒンジによって回動可能に連結されている。また、第２のケース部材２６は前部１４に接着されているが、第１のケース部材２５は、図８に示すようにマット１２に接合されていない。
【００２４】
図８に示した状態から第２のケース部材２６を矢印Ｇで示したように第１のケース部材２５の側に回動し、両ケース部材２５，２６を互いに合致させ、これらのケース部材２５，２６を図示していないロック装置によってロックする。これにより、図９に示すように折り畳んだマット１２をケース３０に収納することができる。その際、収納されたマット１２と、第１のケース部材２５との間の空間にペットＰを収容して、運搬することができる。このように、ケース３０は、その内部にペットを収容できる大きさに形成されているのである。
【００２５】
ケース３０を運搬する際、図９に示すように、互いに合致した両前部孔１９を把手として用いることができる。
【００２６】
また、図８及び図９に示すように、第１のケース部材２５の一部２８は、例えば透明樹脂シートなどの透明材料により構成されており、これによってケース３０内に収容したペットＰの様子を外部から観察することができる。ケース３０の全体を透明材料によって構成することもできる。要は、ケース３０にペットＰを収容したとき、そのペットＰを外部から目視できるように、該ケース３０の少なくとも一部を透明材料により構成するのである。
【００２７】
図１に示した小サイズのマット１２も、これを折り畳み可能に構成し、その折り畳んだマット１２とペットをケースに収容するように構成することもできる。
【図面の簡単な説明】
【００２８】
【図１】使用状態にあるペット囲い装置の斜視図である。
【図２】マットを座席から外し、これにペットを収容したときの正面図である。
【図３】使用状態にあるペット囲い装置の他の例を示す斜視図である。
【図４】図３に示したマットを折り畳むときの様子を示す斜視図である。
【図５】図３に示したマットを折り畳むときの様子を示す斜視図である。
【図６】図３に示したマットを折り畳むときの様子を示す斜視図である。
【図７】図３に示したマットを折り畳むときの様子を示す斜視図である。
【図８】図３に示したマットを折り畳むときの様子を示す斜視図である。
【図９】折り畳んだマットとペットをケースに収容したときの様子を示す斜視図である。
【符号の説明】
【００２９】
１  ペット囲い装置
２  前部座席
３  後部座席
６，７  ヘッドレスト
１２  マット
１３  底部
１４  前部
１５  後部
１６，１７  側部
１９  前部孔
２０  後部孔
３０  ケース
【図１】
2007006777.tif 000003
【図２】
2007006777.tif 000004
【図３】
2007006777.tif 000005
【図４】
2007006777.tif 000006
【図５】
2007006777.tif 000007
【図６】
2007006777.tif 000008
【図７】
2007006777.tif 000009
【図８】
2007006777.tif 000010
【図９】
2007006777.tif 000011